(57)【要約】【課題】  レンズ素材の屈折率を容易かつ迅速に精度良く測定できるレンズメータを提供する。【解決手段】  屈折力の異なる被検レンズＬ１〜Ｌ４の表面の形状に合わせて形成された密着面２１Ａａ〜２１Ｄａの密着部材２１Ａ〜２１Ｄを含む屈折率測定用部材２０Ａ〜２０Ｄと、その裏面の形状に合わせて形成された密着面２１αａ〜２１δａを有する密着部材２１α〜２１δを含む屈折率測定用部材２０α〜２０δとを有する。被検レンズＬ単体の屈折力を測定する。一対の屈折率測定用部材２０を被検レンズＬの表面及び裏面に装着して、それらの合成屈折力を測定する。これらの測定結果と密着部材２１の屈折率とに基づいて、被検レンズＬを形成する素材の屈折率を算出する。また、被検レンズＬ単体のプリズム度数や合成プリズム度数の測定値が所定値を超える場合にはメッセージを表示させる。【選択図】      図５
2006220458.tif 000002
【特許請求の範囲】
【請求項１】
被検レンズを支持する支持手段と、
前記支持された被検レンズに測定光を投射する照明光学系と、
前記被検レンズを透過した前記測定光を受光する受光光学系と、
前記被検レンズの一方の面の形状に合わせて形成された第１の密着面を有し透明かつ柔軟で既知の屈折率を有する第１の密着部材を含む第１の屈折率測定用部材と、
前記被検レンズの他方の面の形状に合わせて形成された第２の密着面を有し透明かつ柔軟で既知の屈折率を有する第２の密着部材を含む第２の屈折率測定用部材と、
前記被検レンズのみが前記支持手段に支持されているときに前記受光光学系により受光された前記測定光に基づいて、前記被検レンズの屈折力を算出するとともに、前記第１及び第２の密着面が前記表面及び裏面にそれぞれ密着された状態の前記被検レンズが前記支持されているときに前記受光された前記測定光に基づいて、前記被検レンズと前記第１の屈折率測定用部材と前記第２の屈折率測定用部材との合成屈折力を算出する第１の算出手段と、
前記算出された前記屈折力及び前記合成屈折力と、前記第１及び第２の密着部材の前記屈折率とに基づいて、前記被検レンズを形成する素材の屈折率を算出する第２の算出手段と、
を備えることを特徴とするレンズメータ。
【請求項２】
前記第１の屈折率測定用部材は、前記第１の密着面の対向面に密着されて前記第１の密着部材を保持する、透明かつ平板状の第１の保持部材を含み、
前記第２の屈折率測定用部材は、前記第２の密着面の対向面に密着されて前記第２の密着部材を保持する、透明かつ平板状の第２の保持部材を含む、
ことを特徴とする請求項１に記載のレンズメータ。
【請求項３】
前記第１の保持部材及び前記第２の保持部材は、それぞれ、前記第１の密着部材及び前記第２の密着部材よりも大きな径を有するように形成されていることを特徴とする請求項２に記載のレンズメータ。
【請求項４】
前記第１の密着部材の前記第１の密着面の形状が異なる複数の前記第１の屈折率測定用部材を備え、
前記第２の密着部材の前記第２の密着面の形状が異なる複数の前記第２の屈折率測定用部材を備える、
ことを特徴とする請求項１に記載のレンズメータ。
【請求項５】
前記複数の第１及び第２の屈折率測定用部材のそれぞれには、識別情報が設けられていることを特徴とする請求項４に記載のレンズメータ。
【請求項６】
前記複数の第１及び第２の屈折率測定用部材の内、同時に使用される前記第１の屈折率測定用部材及び前記第２の屈折率測定用部材には、互いに関連付けられた前記識別情報が設けられていることを特徴とする請求項５に記載のレンズメータ。
【請求項７】
前記複数の第１の屈折率測定用部材のそれぞれは、前記第１の密着面の対向面に密着されて前記第１の密着部材を保持する透明かつ平板状の第１の保持部材を含み、前記第１の密着部材とそれを保持する前記第１の保持部材とには互いに関連付けられた前記識別情報が設けられ、
前記複数の第２の屈折率測定用部材のそれぞれは、前記第２の密着面の対向面に密着されて前記第２の密着部材を保持する透明かつ平板状の第２の保持部材を含み、前記第２の密着部材とそれを保持する前記第２の保持部材とには互いに関連付けられた前記識別情報が設けられている、
ことを特徴とする請求項５に記載のレンズメータ。
【請求項８】
前記識別情報は、色、文字、図形もしくは記号又はそれらの内の２つ以上の結合からなることを特徴とする請求項５ないし請求項７のいずれか一項に記載のレンズメータ。
【請求項９】
前記第１の算出手段及び／又は前記第２の算出手段による算出結果を表示する表示手段を更に備えることを特徴とする請求項１ないし請求項８のいずれか一項に記載のレンズメータ。
【請求項１０】
前記第１の算出手段により算出された前記被検レンズの屈折力に基づいて、前記複数の第１及び第２の屈折率測定用部材の内から、一対の前記第１及び第２の屈折率測定用部材を選択する選択手段と、
前記選択された前記一対の第１及び第２の屈折率測定用部材に設けられた前記識別情報の少なくとも一部を表示する表示手段と、
を更に備えることを特徴とする請求項５ないし請求項８のいずれか一項に記載のレンズメータ。
【請求項１１】
前記第１の算出手段により算出される前記合成屈折力には、前記被検レンズと前記第１の密着部材と前記第２の密着部材との合成プリズム度数が含まれ、
前記算出された合成プリズム度数が所定値を超えるか否かを判断する合成屈折力判断手段と、
前記合成プリズム度数が前記所定値を超えると前記判断されたときにメッセージを表示する表示手段と、
を更に備えることを特徴とする請求項１ないし請求項８のいずれか一項に記載のレンズメータ。
【請求項１２】
前記表示手段に表示される前記メッセージは、前記被検レンズに対する前記第１及び第２の密着部材の密着状態を確認するように指示するメッセージを含むことを特徴とする請求項１１に記載のレンズメータ。
【請求項１３】
前記表示手段に表示される前記メッセージは、前記被検レンズに対する前記第１及び第２の密着部材の密着位置を変更するように指示するメッセージを含むことを特徴とする請求項１１に記載のレンズメータ。
【請求項１４】
前記第１の算出手段により算出される前記被検レンズの屈折力には、前記被検レンズのプリズム度数が含まれ、
前記算出されたプリズム度数が所定値を超えるか否かを判断する屈折力判断手段と、
前記プリズム度数が前記所定値を超えると前記判断されたときにメッセージを表示する表示手段と、
を更に備えることを特徴とする請求項１ないし請求項８のいずれか一項に記載のレンズメータ。
【請求項１５】
前記第１の算出手段により算出される前記被検レンズの屈折力には、前記被検レンズにおけるプリズム度数分布が含まれ、
前記算出されたプリズム度数分布において、プリズム度数が所定値以下である前記被検レンズ上の位置を検出する検出手段と、
前記検出された前記被検レンズ上の位置を表示する表示手段と、
を更に備えることを特徴とする請求項１ないし請求項８のいずれか一項に記載のレンズメータ。
【請求項１６】
前記表示手段は、前記表示された前記被検レンズ上の位置に前記第１及び第２の密着部材を密着させるように指示するメッセージを更に表示することを特徴とする請求項１５に記載のレンズメータ。
【請求項１７】
被検レンズの屈折力を測定する通常測定モードと、被検レンズを形成する素材の屈折率を測定する屈折率測定モードとを含む複数の測定モードを択一的に設定するための測定モード設定操作手段と、
前記屈折率測定モードが設定されたときに、前記被検レンズのみを前記支持手段に支持させるように指示する第１のメッセージを表示するとともに、前記被検レンズのみが前記支持されて測定が行われた後に、前記第１及び第２の密着部材が密着された状態の前記被検レンズを前記支持手段に支持させるように指示する第２のメッセージを表示する表示手段と、
を更に備えることを特徴とする請求項１ないし請求項８のいずれか一項に記載のレンズメータ。
【請求項１８】
前記第１のメッセージは、前記被検レンズのみを前記支持手段に支持させた状態を表す第１の画像情報を含み、
前記第２のメッセージは、前記第１及び第２の密着部材が密着された前記被検レンズを前記支持手段に支持させた状態を表す第２の画像情報を含む、
ことを特徴とする請求項１７に記載のレンズメータ。
【請求項１９】
前記第１の算出手段により算出された前記合成屈折力に基づいて、前記第１の密着部材又は前記第２の密着部材と前記被検レンズとの間の気泡を検出する気泡検出手段と、
前記気泡が検出されたときにメッセージを表示する表示手段と、
を更に備えることを特徴とする請求項１ないし請求項８のいずれか一項に記載のレンズメータ。
【発明の詳細な説明】
【技術分野】
【０００１】
本発明は、眼鏡レンズの光学特性値を測定するレンズメータに関し、特に、レンズ素材の屈折率を測定する技術に関連するものである。
【背景技術】
【０００２】
近年、眼鏡の装用感を考慮して、より薄く、より軽量な眼鏡レンズの需要が拡大している。薄く軽量な眼鏡レンズにおいては、厚いレンズと同等の屈折力を得るために屈折率の高い素材が使用される。このようなレンズ素材は、レンズメーカ毎に異なり、また製品毎にも異なっているのが一般的であり、したがってレンズ素材の屈折率も相異することとなる。
【０００３】
レンズ素材の屈折率は、従来、レンズメータによる測定値やレンズ厚などに基づいて推測していたが、このような様々なレンズ素材の登場により、その屈折率を高精度で推測することが困難になっていた。そのような状況に対処するために、様々なレンズ素材の屈折率を測定するための構成を備えたレンズメータが従来から各種提案されている（たとえば、特許文献１、２参照）。
【０００４】
特許文献１に記載のレンズメータは、光学業務において眼鏡レンズを補償する目的で、レンズの屈折率を測定することにより眼鏡レンズの材料を確認するものであって、外側の面が平面平行にされておりかつ対向する内側の面が眼鏡レンズに対して圧接可能な２個のクッションを有することを特徴とするものである。各クッションは、グリセリン、浸漬オイル、シリコン弾性ゴムなど、できる限り大きな既知の屈折率を有し、柔軟かつ透明な合成物質によって形成される。また、各クッションは透明なプレート上に設けられている。
【０００５】
特許文献１のレンズメータによるレンズ素材の屈折率測定は、次のような２段階の測定の結果に基づく：（１）クッションを介さずに被検レンズの頂点屈折力を測定する；（２）被検レンズにクッションを取り付け、被検レンズ及びクッションの合成屈折力を測定する。これら２つの測定結果の商を算出すると、その値は被検レンズの曲率半径に依存しないため、レンズ素材の特性値として使用できる。
【０００６】
特許文献２に記載のレンズメータは、単一の上記クッション（同文献中では「ｐａｄ」と呼ばれる。）を有し、次のような３段階の測定の結果に基づいて、レンズ素材の屈折率を測定する：（１）被検レンズの屈折力を測定する；（２）被検レンズの一方の面にクッションを取り付け、被検レンズ及びクッションの合成屈折力を測定する；（３）被検レンズの他方の面にクッションを取り付け、被検レンズ及びクッションの合成屈折力を測定する。これら３つの測定結果に基づいて被検レンズの屈折率が算出される。
【０００７】
また、特許文献２には、特許文献１の発明のように被検レンズの両面を一対のクッションで挟み込んだ状態で測定を行う構成を採用すると、次のような問題が生じるとの指摘がなされている。すなわち、特許文献１の発明では被検レンズを柔軟なクッションで支持しているために、被検レンズとクッションとの相対位置がずれるおそれがあり、それによってクッションの取り付け位置がレンズ中心から外れた場合や、レンズ両面のプレートが平行でなくなった場合には、収差の発生や測定精度の低下を引き起こすと指摘されている。
【０００８】
しかしながら、本発明者による確認検査によれば、クッションのハンドリング（操作性）を向上させることができれば、被検レンズの光学中心近傍にクッションを容易に取り付けることができる上、クッションの柔軟性や表面形状等を調整してレンズ面に対するクッションの密着性を高めることにより、被検レンズとクッションとのずれも防止できることが確認された。
【０００９】
更に、本発明者は、被検レンズ両面のプレートの平行性について、それによるプリズム度数が２プリズムディオプタ程度以下であれば、十分な測定精度を維持できることを確認した。また、この程度の平行性の制限であれば、クッション及びプレート（パッド）を被検レンズに手作業で取り付けても測定精度を維持できることを確認した。
【００１０】
以上のような背景を考慮すると、特許文献２に記載の発明には、次のような実用上の問題点があることを指摘できる。すなわち、当該文献の発明においては、被検レンズの屈折率の取得に３段階もの測定を実施しなければならないために、測定手順が煩雑となり、測定時間が長くなってしまう。特に、多数のレンズを測定する場合には、そのような煩雑な測定を長時間に亘って行うこととなるので、ユーザに多大な負担が掛かってしまう。
【００１１】
一方、特許文献１に記載の発明は、クッションの有／無に対応する２段階の測定によってレンズの屈折率を取得できるが、被検レンズ両面のプレートの平行性を把握できないため、測定結果の信頼性の高低を確認することができない。
【００１２】
【特許文献１】特開平１−１４５５４４号公報
【特許文献２】米国特許第６１４７７５１号明細書
【発明の開示】
【発明が解決しようとする課題】
【００１３】
本発明は、以上のような事情に鑑みてなされたもので、レンズ素材の屈折率測定を容易かつ迅速に精度良く行うことが可能なレンズメータを提供することを目的とする。
【課題を解決するための手段】
【００１４】
上記目的を達成するために、請求項１に記載の発明は、被検レンズを支持する支持手段と、前記支持された被検レンズに測定光を投射する照明光学系と、前記被検レンズを透過した前記測定光を受光する受光光学系と、前記被検レンズの一方の面の形状に合わせて形成された第１の密着面を有し透明かつ柔軟で既知の屈折率を有する第１の密着部材を含む第１の屈折率測定用部材と、前記被検レンズの他方の面の形状に合わせて形成された第２の密着面を有し透明かつ柔軟で既知の屈折率を有する第２の密着部材を含む第２の屈折率測定用部材と、前記被検レンズのみが前記支持手段に支持されているときに前記受光光学系により受光された前記測定光に基づいて、前記被検レンズの屈折力を算出するとともに、前記第１及び第２の密着面が前記表面及び裏面にそれぞれ密着された状態の前記被検レンズが前記支持されているときに前記受光された前記測定光に基づいて、前記被検レンズと前記第１の屈折率測定用部材と前記第２の屈折率測定用部材との合成屈折力を算出する第１の算出手段と、前記算出された前記屈折力及び前記合成屈折力と、前記第１及び第２の密着部材の前記屈折率とに基づいて、前記被検レンズを形成する素材の屈折率を算出する第２の算出手段と、を備えることを特徴とするレンズメータである。
【００１５】
また、請求項２に記載の発明は、請求項１に記載のレンズメータであって、前記第１の屈折率測定用部材は、前記第１の密着面の対向面に密着されて前記第１の密着部材を保持する、透明かつ平板状の第１の保持部材を含み、前記第２の屈折率測定用部材は、前記第２の密着面の対向面に密着されて前記第２の密着部材を保持する、透明かつ平板状の第２の保持部材を含む、ことを特徴とする。
【００１６】
また、請求項３に記載の発明は、請求項２に記載のレンズメータであって、前記第１の保持部材及び前記第２の保持部材は、それぞれ、前記第１の密着部材及び前記第２の密着部材よりも大きな径を有するように形成されていることを特徴とする。
【００１７】
また、請求項４に記載の発明は、請求項１に記載のレンズメータであって、前記第１の密着部材の前記第１の密着面の形状が異なる複数の前記第１の屈折率測定用部材を備え、前記第２の密着部材の前記第２の密着面の形状が異なる複数の前記第２の屈折率測定用部材を備える、ことを特徴とする。
【００１８】
また、請求項５に記載の発明は、請求項４に記載のレンズメータであって、前記複数の第１及び第２の屈折率測定用部材のそれぞれには、識別情報が設けられていることを特徴とする。
【００１９】
また、請求項６に記載の発明は、請求項５に記載のレンズメータであって、前記複数の第１及び第２の屈折率測定用部材の内、同時に使用される前記第１の屈折率測定用部材及び前記第２の屈折率測定用部材には、互いに関連付けられた前記識別情報が設けられていることを特徴とする。
【００２０】
また、請求項７に記載の発明は、請求項５に記載のレンズメータであって、前記複数の第１の屈折率測定用部材のそれぞれは、前記第１の密着面の対向面に密着されて前記第１の密着部材を保持する透明かつ平板状の第１の保持部材を含み、前記第１の密着部材とそれを保持する前記第１の保持部材とには互いに関連付けられた前記識別情報が設けられ、前記複数の第２の屈折率測定用部材のそれぞれは、前記第２の密着面の対向面に密着されて前記第２の密着部材を保持する透明かつ平板状の第２の保持部材を含み、前記第２の密着部材とそれを保持する前記第２の保持部材とには互いに関連付けられた前記識別情報が設けられている、ことを特徴とする。
【００２１】
また、請求項８に記載の発明は、請求項５ないし請求項７のいずれか一項に記載のレンズメータであって、前記識別情報は、色、文字、図形もしくは記号又はそれらの内の２つ以上の結合からなることを特徴とする。
【００２２】
また、請求項９に記載の発明は、請求項１ないし請求項８のいずれか一項に記載のレンズメータであって、前記第１の算出手段及び／又は前記第２の算出手段による算出結果を表示する表示手段を更に備えることを特徴とする。
【００２３】
また、請求項１０に記載の発明は、請求項５ないし請求項８のいずれか一項に記載のレンズメータであって、前記第１の算出手段により算出された前記被検レンズの屈折力に基づいて、前記複数の第１及び第２の屈折率測定用部材の内から、一対の前記第１及び第２の屈折率測定用部材を選択する選択手段と、前記選択された前記一対の第１及び第２の屈折率測定用部材に設けられた前記識別情報の少なくとも一部を表示する表示手段と、を更に備えることを特徴とする。
【００２４】
また、請求項１１に記載の発明は、請求項１ないし請求項８のいずれか一項に記載のレンズメータであって、前記第１の算出手段により算出される前記合成屈折力には、前記被検レンズと前記第１の密着部材と前記第２の密着部材との合成プリズム度数が含まれ、前記算出された合成プリズム度数が所定値を超えるか否かを判断する合成屈折力判断手段と、前記合成プリズム度数が前記所定値を超えると前記判断されたときにメッセージを表示する表示手段と、を更に備えることを特徴とする。
【００２５】
また、請求項１２に記載の発明は、請求項１１に記載のレンズメータであって、前記表示手段に表示される前記メッセージは、前記被検レンズに対する前記第１及び第２の密着部材の密着状態を確認するように指示するメッセージを含むことを特徴とする。
【００２６】
また、請求項１３に記載の発明は、請求項１１に記載のレンズメータであって、前記表示手段に表示される前記メッセージは、前記被検レンズに対する前記第１及び第２の密着部材の密着位置を変更するように指示するメッセージを含むことを特徴とする。
【００２７】
また、請求項１４に記載の発明は、請求項１ないし請求項８のいずれか一項に記載のレンズメータであって、前記第１の算出手段により算出される前記被検レンズの屈折力には、前記被検レンズのプリズム度数が含まれ、前記算出されたプリズム度数が所定値を超えるか否かを判断する屈折力判断手段と、前記プリズム度数が前記所定値を超えると前記判断されたときにメッセージを表示する表示手段と、を更に備えることを特徴とする。
【００２８】
また、請求項１５に記載の発明は、請求項１ないし請求項８のいずれか一項に記載のレンズメータであって、前記第１の算出手段により算出される前記被検レンズの屈折力には、前記被検レンズにおけるプリズム度数分布が含まれ、前記算出されたプリズム度数分布において、プリズム度数が所定値以下である前記被検レンズ上の位置を検出する検出手段と、前記検出された前記被検レンズ上の位置を表示する表示手段と、を更に備えることを特徴とする。
【００２９】
また、請求項１６に記載の発明は、請求項１５に記載のレンズメータであって、前記表示手段は、前記表示された前記被検レンズ上の位置に前記第１及び第２の密着部材を密着させるように指示するメッセージを更に表示することを特徴とする。
【００３０】
また、請求項１７に記載の発明は、請求項１ないし請求項８のいずれか一項に記載のレンズメータであって、被検レンズの屈折力を測定する通常測定モードと、被検レンズを形成する素材の屈折率を測定する屈折率測定モードとを含む複数の測定モードを択一的に設定するための測定モード設定操作手段と、前記屈折率測定モードが設定されたときに、前記被検レンズのみを前記支持手段に支持させるように指示する第１のメッセージを表示するとともに、前記被検レンズのみが前記支持されて測定が行われた後に、前記第１及び第２の密着部材が密着された状態の前記被検レンズを前記支持手段に支持させるように指示する第２のメッセージを表示する表示手段と、を更に備えることを特徴とする。
【００３１】
また、請求項１８に記載の発明は、請求項１７に記載のレンズメータであって、前記第１のメッセージは、前記被検レンズのみを前記支持手段に支持させた状態を表す第１の画像情報を含み、前記第２のメッセージは、前記第１及び第２の密着部材が密着された前記被検レンズを前記支持手段に支持させた状態を表す第２の画像情報を含む、ことを特徴とする。
【００３２】
また、請求項１９に記載の発明は、請求項１ないし請求項８のいずれか一項に記載のレンズメータであって、前記第１の算出手段により算出された前記合成屈折力に基づいて、前記第１の密着部材又は前記第２の密着部材と前記被検レンズとの間の気泡を検出する気泡検出手段と、前記気泡が検出されたときにメッセージを表示する表示手段と、を更に備えることを特徴とする。
【発明の効果】
【００３３】
本発明に係るレンズメータよれば、第１段階の測定として被検レンズ単体の屈折力を求めるとともに、第１、第２の屈折率測定用部材を被検レンズの両面に密着させた状態でそれらの合成屈折力を測定し、これら第１、２段階の測定で得られた測定結果に基づいて被検レンズのレンズ素材の屈折力を測定するように構成されている。当該第２段階の測定で使用される第１、第２の屈折率測定用部材は、被検レンズのレンズ面に合わせた形状に形成された密着面を有し、透明かつ柔軟で既知の屈折率を有する密着部材を含んでいるので、屈折率測定用部材と被検レンズとがずれてしまう事態を防止でき、また、第１、第２の屈折率測定用部材を被検レンズのレンズ中心近傍に容易に装着することができる。また、被検レンズに対する屈折率測定用部材の密着状態が良好になる。それにより、２段階の測定により容易かつ迅速にレンズ素材の屈折率を測定できるとともに、良好な精度で測定を行うことが可能となる。
【発明を実施するための最良の形態】
【００３４】
本発明に係るレンズメータは、通常のレンズメータとして使用できるとともに、後述の屈折率測定用部材を用いることで、レンズ素材の屈折率測定にも使用可能な構成を備えるものである。以下、本発明に係るレンズメータの好適な実施形態の一例について、図面を参照しながら詳細に説明する。
【００３５】
［外観構成］
図１は、本発明に係るレンズメータ１の外観構成の一例を表している。このレンズメータ１の本体２の前面上部には、液晶ディスプレイ（ＬＣＤ）やＣＲＴからなる表示部３が設けられている。表示部３の表示画面３ａには、被検レンズＬの光学特性値（球面度数、円柱度数、円柱軸角度、プリズム度数、プリズム基底方向等）や、被検レンズＬの光学特性値の分布を表すマッピング画像などの各種画面が表示される。表示部３は、本発明にいう「表示手段」を構成している。
【００３６】
表示部３の下方には、被検レンズの光学特性値を測定するための各種光学部材を収納する光学部材収納部４、５が上下に配置されている。
【００３７】
光学部材収納部５の上端部には、被検レンズＬが載置されるレンズ受け１３が取り付けられたレンズ受けテーブル６が設けられている。レンズ受け１３は、透明ガラスや透明樹脂等からなる平板状の透明板１３ａと、この透明板１３ａの中央部を介して上方に突設されたレンズ支持部１３ｂとを備えている。このレンズ支持部１３ｂは、被検レンズＬを支持する本発明の「支持手段」に相当する。なお、詳細は後述するが、レンズ支持部１３ｂの下端は、ハルトマンプレートに接続されている。レンズ支持部１３ｂは、被検レンズＬとハルトマンプレートとの間の距離を一定に保持するように作用する。
【００３８】
また、レンズ支持部１３ｂの後方の本体２前面には、その位置を前後に調整可能に保持されたレンズ当て７が設けられている。このレンズ当て７は、操作レバー８を回動操作することにより前後に移動されるようになっている。
【００３９】
レンズ当て７の上縁部には、水平方向に移動可能に支持されたスライダ９ａが設けられており、このスライダ９ａの先端には鼻当て支持部材９が上下に回動可能に接続されている。
【００４０】
ここで、被検レンズＬとしては、円形の未加工レンズや眼鏡用に研削加工されたレンズ、或いは眼鏡フレームに枠入れされたレンズ等が適用される。眼鏡に枠入れされたレンズの光学特性値を測定する場合には、当該眼鏡の鼻当てを鼻当て支持部材９に係合させて配置する。そして、その状態で当該眼鏡と鼻当て支持部材９をスライダ９ａとともに左右に移動させて左右方向の位置を調整しつつ下方に移動させることで、当該眼鏡のレンズをレンズ支持部１３ａ上に配置させて光学特性値を測定する。
【００４１】
レンズメータ１の本体２前面には、測定モードを切り換えるためのモード切換ボタン１０や、測定の開始や停止等の操作を行うための測定ボタン１１など、各種操作用のボタンやスイッチが設けられている。
【００４２】
［光学系の構成］
図２は、レンズメータ１が備える光学特性値測定用の光学系の構成を表す。同図は、レンズ支持部１３ｂの上端に被検レンズＬが載置されて測定可能とされた状態を示している。レンズメータ１の光学系は、従来と同様の構成を有しており、本体２の光学部材収納部４、５に収納されている。
【００４３】
レンズメータ１の光学系は、上方の光学部材収納部４に収納された照明光学系１００と、光学部材収納部５に収納された受光光学系１１０とを有している。
【００４４】
照明光学系１００は、被検レンズＬに対して測定光を投射する光学系であって、測定光を出射する光源としてのＬＥＤ（発光ダイオード）１０１と、このＬＥＤ１０１からの測定光を平行光にして被検レンズＬに投射するコリメータレンズ１０２とを含んで構成されている。ＬＥＤ１０１から発せられる測定光は、たとえば赤色光である。
【００４５】
また、受光光学系１１０は、ハルトマンプレート１１１、スクリーン１１２、フィールドレンズ（視野レンズ）１１３、結像レンズ１１４及びＣＣＤ（Ｃｈａｒｇｅ  Ｃｏｕｐｌｅｄ  Ｄｅｖｉｓｅ）１１５を含んで構成されている。スクリーン１１２とＣＣＤ１１５とは、光学的に共役となる位置に配置されている。
【００４６】
ハルトマンプレート１１１には、図３（Ａ）に示すように、縦横に（２次元的に）等間隔に配置された多数の円形の開口部１１１ａが形成されている。開口部１１１ａは、たとえば２ミリメートル間隔で縦横に配列されている。被検レンズＬを透過した測定光は、ハルトマンプレート１１１を経由することにより、開口部１１１ａを透過した多数の測定光に変換される。ハルトマンプレート１１１には、レンズ支持部１３ｂの下端部が接合されている。
【００４７】
なお、ハルトマンプレート１１１に代えて、図３（Ｂ）に示すような４孔タイプのプレート（４孔プレート）１１１′を用いて測定を行うこともできる。この４孔プレート１１１′には、四角形の４つの頂点に相当する位置にそれぞれ開口部１１１ａ′が形成されている。
【００４８】
スクリーン１１２には、ハルトマンプレート１１１の開口部１１１ａを透過した多数の測定光が投影される。多数の測定光のそれぞれは、被検レンズＬの光学特性値に応じてスクリーン１１２における投影位置や投影像の形状が変化する。それにより、この多数の測定光のスクリーン１１２上における投影パターンが縮小／拡大されたり歪んだりすることとなる。
【００４９】
スクリーン１１２に投影された多数の測定光は、スクリーン１１２を透過し、フィールドレンズ１１３と結像レンズ１１４とを介して、スクリーン１１２に対して光学的に共役な位置に設けられたＣＣＤ１１５の受光面上に結像される。
【００５０】
ＣＣＤ１１５は、この多数の測定光を受光し、電気信号に変換して（つまり光電変換して）出力する。ＣＣＤ１１５から出力される画像信号（画像信号）には、受光された多数の測定光のそれぞれについての受光位置及び受光像の形状を示す情報が含まれている。この情報は、ＣＣＤ１１５の各画素の位置（座標）として表現される。レンズメータ１は、ＣＣＤ１１５から出力される画像信号を解析することで、被検レンズＬの光学特性値を求める。
【００５１】
［屈折率測定用部材の構成］
図４は、被検レンズＬを形成する素材の屈折率を測定するときに使用される部材（屈折率測定用部材と呼ぶ。）の構成の一例を表す。図４（Ａ）は屈折率測定用部材の側面図を示し、図４（Ｂ）はその上面図を示している。
【００５２】
図４に示す屈折率測定用部材２０は、たとえばシリコンゲル等の透明かつ柔軟な素材からなる密着部材２１と、ガラスやプラスティック等の透明な素材からなる平板状の保持部材２２とを含んで構成される。
【００５３】
密着部材２１は、保持部材２２の一方の面（保持面２２ａ）に密着され、たとえば密着部材２１の粘着性によって保持部材２２に保持されている。なお、接着剤等の透明な接着部材を介して密着部材２１と保持部材２２とを接合させてもよい。この密着部材２１は、空気と比較して十分に大きな屈折率（既知）を有する。
【００５４】
図４（Ｂ）に示すように、保持部材２２は円板状に形成されている。また、密着部材２１は、保持部材２２よりも径の小さな略円筒形状に形成されている。
【００５５】
密着部材２１において保持部材２２に対向する面は、被検レンズＬのレンズ面に後述のようにして密着される密着面２１ａを構成する。
【００５６】
本実施形態では、被検レンズＬのレンズ面の各種形状に対応して、このような屈折率測定用部材２０を複数個使用する。図５、６は、そのような複数の屈折率測定用部材２０の構成の概略を表している（なお、説明を分かり易くするために、密着部材の密着面の形状を誇張してある）。
【００５７】
ところで、被検レンズＬとしては、様々な屈折力を有する眼鏡レンズが適用される。図７は、屈折力の相異に応じた各種被検レンズＬの一般的な形状の一例を表す概略側面図である。
【００５８】
図７（Ａ）に示す被検レンズＬ１は、球面度数Ｓと乱視度数Ｃとの和Ｓ＋Ｃ（強主経線方向の度数）が−５Ｄ以下のレンズであり、比較的度数の強いマイナスレンズである。その表面（おもてめん）Ｌ１ａは、ほぼ平面状に形成されており、裏面Ｌ１ｂは、凹面状に形成されている。
【００５９】
また、図７（Ｂ）に示す被検レンズＬ２は、強主経線方向の度数Ｓ＋Ｃが−５Ｄより大きく０Ｄより小さいレンズであり、比較的度数の弱いマイナスレンズである。その表面Ｌ２ａは、凸面状に形成されており、裏面Ｌ２ｂは、曲率の絶対値が表面Ｌ２ａよりも大きな凹面状に形成されている。
【００６０】
また、図７（Ｃ）に示す被検レンズＬ３は、強主経線方向の度数Ｓ＋Ｃが０Ｄより大きく＋５Ｄより小さいレンズであり、比較的度数の弱いプラスレンズである。その表面Ｌ３ａは、凸面状に形成されており、裏面Ｌ３ｂは、曲率の絶対値が表面Ｌ３ａよりも小さな凹面状に形成されている。
【００６１】
また、図７（Ｄ）に示す被検レンズＬ４は、強主経線方向の度数Ｓ＋Ｃが＋５Ｄ以上のレンズであり、比較的度数の強いプラスレンズである。その表面Ｌ４ａは、凸面状に形成されており、裏面Ｌ４ｂは、ほぼ平面状に形成されている。
【００６２】
ここで、表面Ｌ１ａ〜Ｌ４ａとは、当該被検レンズＬ１〜Ｌ４を装用したときに前方に配置される面を意味し、裏面Ｌ１ｂ〜Ｌ４ｂは、装用者の眼の側に配置される面を意味するものとする。
【００６３】
さて、図５（Ａ）〜（Ｄ）に示す各屈折率測定用部材２０Ａ〜２０Ｄは、被検レンズＬの表面に密着するようにして装着され、図６（Ａ）〜（Ｄ）に示す各屈折率測定用部材２０α〜２０δは、被検レンズＬの裏面に密着するようにして装着される。
【００６４】
なお、図５の屈折率測定用部材２０Ａ〜２０Ｄ及び図６の屈折率測定用部材２０α〜２０δは、本発明にいう「第１の屈折率測定用部材」及び「第２の屈折率測定用部材」に相当する（順不同）。また、第１の屈折率測定用部材の密着部材及び第２の屈折率測定用部材の密着部材は、本発明の「第１の密着部材」及び「第２の密着部材」に相当する。ここで、「第１の密着部材」の密着面は、本発明の「第１の密着面」に相当し、「第２の密着部材」の密着面は、本発明の「第２の密着面」に相当する。また、屈折率測定用部材２０Ａ〜２０Ｄの保持部材２２Ａ〜２２Ｄと、屈折率測定用部材２０α〜２０δの保持部材２２α〜２２δとの内、第１の密着部材を保持するものは「第１の保持部材」に相当し、第２の密着部材を保持するものは「第２の密着部材」に相当する。以下、各屈折率測定用部材２０Ａ〜２０Ｄ、２０α〜２０δについて説明する。
【００６５】
（被検レンズの表面側に装着される屈折率測定用部材；図５）
図５（Ａ）に示す屈折率測定用部材２０Ａは、被検レンズＬの強主経線方向の度数Ｓ＋Ｃが−５以下の場合に選択的に適用され、当該被検レンズＬの表面に密着するようにして装着される。屈折率測定用部材２０Ａの密着面２１Ａａは、図７（Ａ）の被検レンズＬ１の表面Ｌ１ａの形状（略平面状）に合わせて、略平面状に形成されている。すなわち、密着面２１Ａａは、被検レンズＬ１と同等の度数のレンズの典型的な表面の形状（曲率）に合致するような形状に形成されている。
【００６６】
また、図５（Ｂ）に示す屈折率測定用部材２０Ｂは、被検レンズＬの強主経線方向の度数Ｓ＋Ｃが−５Ｄより大きく０Ｄより小さい場合に選択的に適用され、当該被検レンズＬの表面に密着するようにして装着される。屈折率測定用部材２０Ｂの密着面２１Ｂａは、図７（Ｂ）の被検レンズＬ２の表面Ｌ２ａの形状（凸面形状）に合わせた曲率を有する凹曲面状に形成されている。すなわち、密着面２１Ｂａは、被検レンズＬ２と同等の度数のレンズの典型的な表面の形状（曲率）に合致するような形状に形成されている。
【００６７】
また、図５（Ｃ）に示す屈折率測定用部材２０Ｃは、被検レンズＬの強主経線方向の度数Ｓ＋Ｃが０Ｄより大きく＋５Ｄより小さい場合に選択的に適用され、当該被検レンズＬの表面に密着するようにして装着される。屈折率測定用部材２０Ｃの密着面２１Ｃａは、図７（Ｃ）の被検レンズＬ３の表面Ｌ３ａの形状（凸面形状）に合わせた曲率を有する凹曲面状に形成されている。すなわち、密着面２１Ｃａは、被検レンズＬ３と同等の度数のレンズの典型的な表面の形状（曲率）に合致するような形状に形成されている。
【００６８】
また、図５（Ｄ）に示す屈折率測定用部材２０Ｄは、被検レンズＬの強主経線方向の度数Ｓ＋Ｃが＋５Ｄ以上である場合に選択的に適用され、当該被検レンズＬの表面に密着するようにして装着される。屈折率測定用部材２０Ｄの密着面２１Ｄａは、図７（Ｄ）の被検レンズＬ４の表面Ｌ４ａの形状（凸面形状）に合わせた曲率を有する凹曲面状に形成されている。すなわち、密着面２１Ｄａは、被検レンズＬ４と同等の度数のレンズの典型的な表面の形状（曲率）に合致するような形状に形成されている。
【００６９】
（被検レンズの表面側に装着される屈折率測定用部材；図６）
図６（Ａ）に示す屈折率測定用部材２０αは、被検レンズＬの強主経線方向の度数Ｓ＋Ｃが−５以下の場合に選択的に適用され、当該被検レンズＬの裏面に密着するようにして装着される。屈折率測定用部材２０αの密着面２１αａは、図７（Ａ）の被検レンズＬ１の裏面Ｌ１ｂの形状（凹面形状）に合わせた曲率を有する凸曲面状に形成されている。すなわち、密着面２１αａは、被検レンズＬ１と同等の度数のレンズの典型的な裏面の形状（曲率）に合致するような形状に形成されている。
【００７０】
また、図６（Ｂ）に示す屈折率測定用部材２０βは、被検レンズＬの強主経線方向の度数Ｓ＋Ｃが−５Ｄより大きく０Ｄより小さい場合に選択的に適用され、当該被検レンズＬの裏面に密着するようにして装着される。屈折率測定用部材２０βの密着面２１βａは、図７（Ｂ）の被検レンズＬ２の裏面Ｌ２ｂの形状（凹面形状）に合わせた曲率を有する凸曲面状に形成されている。すなわち、密着面２１βａは、被検レンズＬ２と同等の度数のレンズの典型的な裏面の形状（曲率）に合致するような形状に形成されている。
【００７１】
また、図６（Ｃ）に示す屈折率測定用部材２０γは、被検レンズＬの強主経線方向の度数Ｓ＋Ｃが０Ｄより大きく＋５Ｄより小さい場合に選択的に適用され、当該被検レンズＬの裏面に密着するようにして装着される。屈折率測定用部材２０γの密着面２１γａは、図７（Ｃ）の被検レンズＬ３の裏面Ｌ３ｂの形状（凹面形状）に合わせた曲率を有する凸曲面状に形成されている。すなわち、密着面２１γａは、被検レンズＬ３と同等の度数のレンズの典型的な裏面の形状（曲率）に合致するような形状に形成されている。
【００７２】
また、図６（Ｄ）に示す屈折率測定用部材２０δは、被検レンズＬの強主経線方向の度数Ｓ＋Ｃが＋５Ｄ以上である場合に選択的に適用され、当該被検レンズＬの裏面に密着するようにして装着される。屈折率測定用部材２０δの密着面２１δａは、図７（Ｄ）の被検レンズＬ４の裏面Ｌ４ｂの形状（凹面形状）に合わせた曲率を有する凸曲面状に形成されている。すなわち、密着面２１δａは、被検レンズＬ４と同等の度数のレンズの典型的な裏面の形状（曲率）に合致するような形状に形成されている。
【００７３】
（複数の屈折率測定用部材の識別について）
本実施形態のレンズメータ１によるレンズ素材の屈折率測定は、上述の複数の屈折率測定用部材２０Ａ〜Ｄ、２０α〜２０δを、被検レンズＬの屈折力（Ｓ＋Ｃ）に応じて選択的に用いて行う。そこで、その選択を容易に行えるように、各屈折率測定用部材２０Ａ〜２０Ｄ、２０α〜２０δを識別可能にすることが望ましいと考えられる。そのため、本実施形態においては、以下に示すような識別情報を各屈折率測定用部材２０Ａ〜２０Ｄ、２０α〜２０δに設ける。
【００７４】
さて、図５に示す屈折率測定用部材２０Ａ〜２０Ｄは、それぞれ被検レンズＬの表面に装着されるものである。そこで、次のような識別情報を設けることにより、これらを装着するレンズ面は表面であることを表すとともに、これらを互いに識別可能とする。同様に、図６に示す屈折率測定用部材２０α〜２０δについても、次のような識別情報によって、これらを装着するレンズ面が裏面であることを表すとともに、これらを互いに識別可能とする。
【００７５】
被検レンズＬの表面に装着される屈折率測定用部材２０Ａ〜２０Ｄについては、図５（Ａ）の屈折率測定用部材２０Ａの保持部材２２Ａの側面や保持面２２Ａａ上に赤い字の「Ｆ」を形成し、図５（Ｂ）の屈折率測定用部材２０Ｂの保持部材２２Ｂの側面や保持面２２Ｂａ上に青い字の「Ｆ」を形成し、図５（Ｃ）の屈折率測定用部材２０Ｃの保持部材２２Ｃの側面や保持面２２Ｃａ上に緑の字の「Ｆ」を形成し、図５（Ｄ）の屈折率測定用部材２０Ｄの保持部材２２Ｄの側面や保持面２２Ｄａ上に黄色い字の「Ｆ」を形成する。ここで、「Ｆ」は、表面を示す「Ｆｒｏｎｔ」のイニシャルである。
【００７６】
また、被検レンズＬの裏面に装着される屈折率測定用部材２０α〜２０δについては、図６（Ａ）の屈折率測定用部材２０αの保持部材２２αの側面や保持面２２αａ上に赤い字の「Ｂ」を形成し、図６（Ｂ）の屈折率測定用部材２０βの保持部材２２βの側面や保持面２２βａ上に青い字の「Ｂ」を形成し、図６（Ｃ）の屈折率測定用部材２０γの保持部材２２γの側面や保持面２２γａ上に緑の字の「Ｂ」を形成し、図６（Ｄ）の屈折率測定用部材２０δの保持部材２２δの側面や保持面２２δａ上に黄色い字の「Ｂ」を形成する。ここで、「Ｂ」は、裏面を示す「Ｂａｃｋ」のイニシャルである。
【００７７】
なお、識別情報は、上記のものには限定されず、各屈折率測定用部材２０を互いに識別可能とするものであれば十分である。たとえば、任意の色、任意の文字、任意の図形もしくは任意の記号、又はそれらの内の任意の２つ以上の結合などを識別情報として用いることが可能である。
【００７８】
また、上記の例では、たとえば屈折率測定用部材２０Ａ及び屈折率測定用部材２０αの識別情報を同じ色（赤色）にすることにより、この２つの屈折率測定用部材２０Ａ、２０αを関連付けるようになっている。このように、同時に使用される一対の屈折率測定用部材２０を互いに関連付けるような識別情報を採用することが望ましい。なお、当該関連付けは、このような色による手法以外にも、文字、図形、記号などによって行うことができる。
【００７９】
また、識別情報が設けられる位置は、屈折率測定用部材２０の任意の位置でよい。ただし、測定光に影響を与えるような位置、たとえば密着部材２１の密着面２１ａ上の領域や、保持面２２ａ上における密着部材２１との密着領域や、保持面２２ａの反対の面上における当該密着部分に対向する領域など、測定に支障を与える位置に識別情報を設けることは避けるべきである。
【００８０】
また、密着部材２１と保持部材２２の双方に識別情報を個別に設けるようにしてもよい。その場合には、双方に同一の識別情報を設けることが望ましい。それにより、複数の屈折率測定用部材２０の保持部材２２の構成が異なる場合において、たとえば密着部材２１が保持部材２２から剥がれてしまったときなどに、どの密着部材２１をどの保持部材２２に装着すべきかが一目瞭然となる。
【００８１】
［制御系の構成］
次に、本実施形態に係るレンズメータ１の制御系の構成について説明する。図８のブロック図は、このレンズメータ１の制御系の構成の一例を表している。
【００８２】
レンズメータ１は、上述のように、ハルトマンプレート１１１により生成された多数の測定光のスクリーン１１２上での投影パターンに基づいて、換言すればＣＣＤ１１５の受光面上における当該多数の測定光の配置状態に基づいて、被検レンズＬの光学特性値を求める装置である。また、このレンズメータ１は、前述の屈折率測定用部材２０Ａ〜２０Ｄ、２０α〜２０δを使用することにより、被検レンズＬを形成する素材の屈折率を求めるようになっている。以下、このような処理を好適に実行するための構成を説明する。
【００８３】
レンズメータ１の制御系は、ＣＰＵ（Ｃｅｎｔｒａｌ  Ｐｒｏｃｅｓｓｉｎｇ  Ｕｎｉｔ）３０等の演算制御回路と、ＲＯＭ（Ｒｅａｄ  Ｏｎｌｙ  Ｍｅｍｏｒｙ）等の不揮発性記憶装置からなるプログラム記憶部４０とを有する。
【００８４】
プログラム記憶部４０には、レンズメータ１に各種動作を実行させるための制御プログラム４１と、関連情報４２を含む各種データとがあらかじめ記憶されている。関連情報４２は、被検レンズＬの屈折力（強主経線方向の屈折力Ｓ＋Ｃ）と、屈折率測定用部材２０Ａ〜２０Ｄ、２０α〜２０δとを関連付けるデータである。すなわち、関連情報４２は、（１）Ｓ＋Ｃ≦−５Ｄと屈折率測定用部材２０Ａ、２０αとを関連付け、（２）−５Ｄ＜Ｓ＋Ｃ＜０Ｄと屈折率測定用部材２０Ｂ、２０βとを関連付け、（３）０Ｄ＜Ｓ＋Ｃ＜５Ｄと屈折率測定用部材２０Ｃ、２０γとを関連付け、（４）５Ｄ≦Ｓ＋Ｃと屈折率測定用部材２０Ｄ、２０δとを関連付けるテーブルなどからなる情報である。なお、Ｓ＋Ｃ＝０Ｄには、屈折率測定用部材２０Ｂ、２０βもしくは屈折率測定用部材２０Ｃ、２０γが関連付けられている。
【００８５】
ＣＰＵ３０は、プログラム記憶部４０に格納された制御プログラム４１や各種データをＲＡＭ（Ｒａｎｄｏｍ  Ａｃｃｅｓｓ  Ｍｅｍｏｒｙ：図示省略）上に展開することにより、装置各部の動作制御や光学特性値の算出処理などを実行する。
【００８６】
このＣＰＵ３０には、レンズメータ１の各部を制御する制御部３１と、表示部３による表示処理を制御する表示制御部３２と、被検レンズＬの光学特性値の測定に関わる各種算出処理を行う測定処理部３３とが設けられている。
【００８７】
測定処理部３３は、屈折力算出部３４、屈折力判断部３５、部材選択部３６、合成屈折力判断部３７及び素材屈折率算出部３８を含んで構成される。
【００８８】
屈折力算出部３４は、ＣＣＤ１１５から出力される信号に基づいて、被検レンズＬ（又は屈折率測定用部材２０が装着された状態の被検レンズＬ）の球面度数Ｓ、円柱度数Ｃ、円柱軸角度Ａ、プリズム度数Ｐ、強主経線方向の屈折力Ｓ＋Ｃ等の光学特性値を算出する処理を行う。この算出処理は、従来のレンズメータと同様にして実行される。なお、屈折力算出部３４は、本発明にいう「第１の算出手段」に相当する。なお、屈折率測定用部材２０が装着された状態の被検レンズＬについて得られる光学特性値は、被検レンズＬと屈折率測定用部材２０とが合成された状態における屈折力であるから、「合成屈折力」と呼ぶこととする。
【００８９】
屈折力判断部３５は、本発明の「屈折力判断手段」に相当するものであり、屈折力算出部３４により算出された被検レンズＬ単体のプリズム度数が所定値を超えるか否かを判断する。この所定値は、たとえば２プリズムディオプタに設定されている。
【００９０】
部材選択部３６は、本発明の「選択手段」に相当するものであり、プログラム記憶部４０内の関連情報４２を参照して、屈折力算出部３４が算出した被検レンズＬの強主経線方向の屈折力Ｓ＋Ｃに関連付けられた一対の屈折率測定用部材２０を選択する処理を行う。たとえば、算出結果Ｓ＋Ｃ＝−４．０Ｄの場合には、屈折率測定用部材２０Ｂ、２０βの組が選択される。
【００９１】
合成屈折力判断部３７は、本発明の「合成屈折力判断手段」に相当するものであり、一対の屈折率測定用部材２０が装着された状態の被検レンズＬに対して測定を行ったときに、屈折力算出部３４により算出されたプリズム度数が所定値を超えるか否かを判断する。この所定値は、たとえば２プリズムディオプタに設定されている。
【００９２】
素材屈折率算出部３８は、本発明の「第２の算出手段」に相当し、屈折力算出部３４により算出された（１）被検レンズＬ単体の屈折力（強主経線方向の屈折力）と、（２）一対の屈折率測定用部材２０が装着された状態の被検レンズＬを測定したときに得られる合成屈折力（強主経線方向の合成屈折力）と、（３）装着された屈折率測定用部材２０の密着部材２１の屈折率と、に基づいて、被検レンズＬの素材の屈折率を算出する。その演算式としては、たとえば次式が適用される。
【００９３】
【数１】
2006220458.tif 000003
ｎ１：レンズ素材の屈折率
ｎ２：密着部材の屈折率
Ｄ１：被検レンズの強主経線方向の屈折力
Ｄ２：被検レンズ及び屈折率測定用部材の合成屈折力
【００９４】
モード切換ボタン１０（図１参照）は、前述のように、レンズメータ１による測定モードをユーザに対して選択可能に提示するものであり、本発明の「測定モード設定操作手段」に相当する。このモード切換ボタン１０により、被検レンズＬの屈折力（のみ）を測定する通常測定モードや、被検レンズＬを形成する素材の屈折率を測定する屈折率測定モードなどを選択的に設定することができる。なお、測定モードの切り換えは、表示部３に表示される画面上に設けられた「ＭＯＤＥ」キー（後述）によって行うこともできる。
【００９５】
［処理手順］
以上のような構成のレンズメータ１が実行する処理について説明する。図９、図１０に示すフローチャートは、被検レンズＬを形成する素材の屈折力を測定するための処理の一例を表している。
【００９６】
モード切換ボタン１０を操作して「屈折率測定モード」に設定すると（Ｓ１）、表示制御部３２は、図１１に示す画面Ｇを表示部３に表示させる（Ｓ２）。
【００９７】
なお、画面Ｇが表示されているところから処理を開始する場合には、「ＭＯＤＥ」キー２１０（後述）を操作して屈折率測定モードに設定することができる。その場合、この「ＭＯＤＥ」キー２１０は、本発明の「測定モード設定操作手段」を構成する。
【００９８】
ここで、画面Ｇについて説明する。画面Ｇの上部には、被検レンズＬの種別を示すレンズ種別表示部２０１が設けられている。このレンズ種別表示部２０１には、被検レンズＬが単レンズの場合は「Ｓ」が、右眼用レンズの場合は「Ｒ」が、左眼用レンズの場合は「Ｌ」がそれぞれ表示される。
【００９９】
また、画面Ｇ上には、従来と同様に、被検レンズＬの光学中心を中心とする同心円状のスケール２０２が表示される（たとえば本出願人による特開平１１−１３２９０５号公報参照）。各同心円（点線）はプリズム度数を表し、内側から順に、０．５、１．０、２．０、３．０、４．０、５．０プリズムディオプタに相当する（なお、１．０プリズムディオプタに対応するスケールは、太枠リングスケールの内周近傍にある）。
【０１００】
被検レンズＬの光学特性値の測定結果は、屈折力表示部２０３に表示される。この屈折力表示部２０３には、特に、球面度数Ｓ、乱視度数Ｃ、乱視軸角度Ａ及び強主経線方向の屈折力Ｓ＋Ｃが表示される。また、屈折率測定用部材２０を装着した状態で測定したときの測定結果は、合成屈折力表示部２０４に表示される。この合成屈折力表示部２０４には、特に、合成球面度数（Ｓ）及び合成乱視度数（Ｃ）が表示される。なお、強主経線方向の屈折力（Ｓ＋Ｃ）を更に表示してもよい。屈折率表示部２０５（ＩＮＤ；ｒｅｆｒａｃｔｉｖｅ  ＩＮＤｅｘ：屈折率）には、被検レンズＬのレンズ素材の屈折率の測定結果が表示される。なお、ステップＳ２で表示された段階においては、測定前であるので、各表示部２０３〜２０５はゼロとなっている（ただし乱視軸角度は１８０）。
【０１０１】
更に、画面Ｇ上には、屈折力表示部２０３、合成屈折力表示部２０４及び屈折率表示部２０５に表示される数値のステップの設定値を表示するステップ表示部２０７と、各種メッセージ等が表示されるメッセージ表示部２０８と、各種グラフィックメッセージ等が表示されるグラフィック表示部２０９とが設けられている。
【０１０２】
ここで、画面Ｇのメッセージ表示部２０８には、たとえば「レンズをセットしてください」等のメッセージが表示され、グラフィック表示部２０９には、被検レンズＬのみをレンズ支持部１３ｂ上にセットした状態を表すグラフィック（図１２参照）が表示されている。このグラフィックは、本発明の「第１の画像情報」に相当する。また、当該メッセージ及びグラフィックは、本発明の「第１のメッセージ」に相当するものである。
【０１０３】
画面Ｇ下部には、モード切換用の「ＭＯＤＥ」キー２１０、レンズ処方値の表示方法を切り換える「ＴＲＡＮＳ」キー２１１、データをクリアする「ＣＬＥＡＲ」キー２１２、及び、測定結果等を印刷するための「ＰＲＩＮＴ」キー２１３などのソフトキーが設けられている。
【０１０４】
ユーザが、被検レンズＬをレンズ支持部１３ｂにセットし（Ｓ３）、測定ボタン１１を操作して測定を開始すると（Ｓ４）、制御部１０１はＬＥＤ１０１を点灯させて被検レンズＬに測定光を投影して測定を行う。屈折力算出部３４は、ＣＣＤ１１５からの電気信号に基づいて被検レンズＬ単体の球面度数Ｓ、乱視度数Ｃ、乱視軸角度Ａ、プリズム度数Ｐ、強主経線方向の屈折力Ｓ＋Ｃ等の光学特性値を算出する（Ｓ５）。表示制御部３２は、この算出結果（特にＳ、Ｃ、Ａ、Ｓ＋Ｃ）を画面Ｇの屈折力表示部２０３に表示させる（Ｓ６）。なお、当該算出結果は、ＲＡＭ等の図示しない記憶装置に保存される。
【０１０５】
屈折力判断部３５は、算出された被検レンズＬのプリズム度数Ｐが２プリズムディオプタを超えているか否か判断を行う（Ｓ７）。超えていない場合には（Ｓ８；Ｎ）、部材選択部３６による処理に移行する（Ｓ１１へ）。
【０１０６】
一方、被検レンズＬのプリズム度数Ｐが２プリズムディオプタを超える場合には（Ｓ８；Ｙ）、光学中心におけるプリズム度数が強すぎるために測定を正確に行えないため、表示制御部３２は、被検レンズＬをセットする位置を変更するように指示する「レンズのセット位置を変更してください」などのメッセージを、メッセージ表示部２０８に表示させる（Ｓ９）。ユーザが、被検レンズＬのセット位置を変更し（Ｓ１０）、測定ボタン１１を操作したら（Ｓ４）、ステップＳ５からの処理を再度実行する。このループ処理は、ステップＳ８においてプリズム度数Ｐが２プリズムディオプタを超えないと判断されるまで反復される。
【０１０７】
なお、ステップＳ８においてプリズム度数Ｐが２プリズムディオプタを超える場合には、当該被検レンズＬに対する測定を正確に行えない旨のメッセージ（たとえば「正確に測定できません」など）をメッセージ表示部２０８に表示させて、処理を終了するようにしてもよい。
【０１０８】
さて、部材選択部３６は、関連情報４２を参照して、被検レンズＬの強主経線方向の屈折力Ｓ＋Ｃに応じた一対の屈折率測定用部材２０を選択する（Ｓ１１）。以下、この選択された屈折率測定用部材２０の識別情報の色（赤／青／緑／黄）を「〜色」と記述する。
【０１０９】
表示制御部３２は、画面Ｇのメッセージ表示部２０８に「〜色のマークが付いたゲルをレンズに装着して下さい」等のメッセージを表示させるとともに（Ｓ１２）、〜色のマーク（識別情報）が付された一対の屈折率測定用部材２０が密着された被検レンズＬをレンズ支持部１３ｂ上にセットした状態のグラフィック（図１３参照）を、グラフィック表示部２０９に表示させる（Ｓ１３）。図１３に示すグラフィック中の屈折率測定用部材２０には、〜色の「Ｆ」、「Ｂ」、つまり識別情報が設けられている。当該グラフィックは、本発明の「第２の画像情報」に相当する。また、当該メッセージ及びグラフィックは、本発明の「第２のメッセージ」に相当する。
【０１１０】
ユーザが、屈折率測定用部材２０を被検レンズＬに装着してレンズ支持部１３ｂ上にセットするとともに（Ｓ１４）、測定ボタン１１を操作して測定開始を要求したら（Ｓ１５）、屈折率測定用部材２０が装着された被検レンズＬに測定光を投影して測定を行う。屈折力算出部３４は、屈折率測定用部材２０が装着された状態の被検レンズＬの合成球面度数（Ｓ）、合成乱視度数（Ｃ）、合成乱視軸角度（Ａ）、合成プリズム度数（Ｐ）、強主経線方向の合成屈折力（Ｓ＋Ｃ）等の光学特性値を算出する（Ｓ１６）。表示制御部３２は、この算出結果、特に（Ｓ）、（Ｃ）を画面Ｇの合成屈折力表示部２０４に表示させる（Ｓ１７）。なお、当該算出結果は、ＲＡＭ等の図示しない記憶装置に保存される。
【０１１１】
合成屈折力判断部３７は、算出された合成プリズム度数（Ｐ）が２プリズムディオプタを超えているか否か判断を行う（Ｓ１８）。超えていない場合（Ｓ１９；Ｎ）、素材屈折率算出部３８は、被検レンズＬ単体の屈折力Ｓ＋Ｃ＝Ｄ１と、屈折率測定用部材２０を装着した状態での合成屈折力（Ｓ＋Ｃ）＝Ｄ２と、屈折率測定用部材２０の屈折率＝ｎ２とを、上記［数１］の式に代入して、被検レンズＬのレンズ素材の屈折率ｎ１を算出する（Ｓ２０）。算出された屈折率ｎ１を屈折率表示部２０５に表示して（Ｓ２１）、処理を終了する。
【０１１２】
一方、合成プリズム度数（Ｐ）が２プリズムディオプタを超える場合（Ｓ１９；Ｙ）、表示制御部３２は、被検レンズＬに対する屈折率測定用部材２０の密着状態を確認するように指示する「ゲルの装着状態を確認してください」等のメッセージを、メッセージ表示部２０８に表示させる（Ｓ２２）。
【０１１３】
なお、ここでユーザが確認すべきことは、被検レンズＬ両面の保持部材２２が互いに平行となるように屈折率測定用部材２０が装着されているか否かであるので、「レンズ両面のゲルを平行に装着してください」などのメッセージを表示するようにしてもよい。また、屈折率測定用部材２０の装着位置が被検レンズＬの中心位置からずれていることも考えられるので、「ゲルの装着位置を調整してください」など、屈折率測定用部材２０の位置を変更するように指示するメッセージを表示するようにしてもよい。
【０１１４】
ユーザが、屈折率測定用部材２０の装着状態を確認してレンズ支持部１３ｂ上に再びセットするとともに（Ｓ２３）、測定ボタン１１を操作して測定開始を要求したら（Ｓ１５）、ステップＳ１６からの処理を再度実行する。このループ処理は、ステップＳ１９において合成プリズム度数（Ｐ）が２プリズムディオプタを超えないと判断されるまで反復される。以上が、レンズメータ１によるレンズ素材の屈折率測定処理である。
【０１１５】
（具体例）
以上の処理の具体例について、画面Ｇの表示の推移とともに説明する。
【０１１６】
ユーザは、モード切換ボタン１０を操作して「屈折率測定モード」に設定すると（Ｓ１）、表示部３に図１１に示した画面Ｇが表示される（Ｓ２）。この画面Ｇには、図１２に示したグラフィックやメッセージが表示されている。
【０１１７】
レンズ屈折率測定の第１段階として、被検レンズＬ単体の屈折率を測定する。そのために、まず、ユーザは、被検レンズＬのみをレンズ支持部１３ｂにセットして（Ｓ３）、測定ボタン１１を操作して測定を開始する（Ｓ４）。レンズメータ１は、被検レンズＬ単体の球面度数Ｓ、乱視度数Ｃ、乱視軸角度Ａ、プリズム度数Ｐ、強主経線方向の屈折力Ｓ＋Ｃ等の光学特性値を求め（Ｓ５）、画面Ｇに表示させる（Ｓ６）。ここでＳ＝−４．０５Ｄ、Ｃ＝−３．９７Ｄ、Ａ＝１８０°であったとすると、図１４に示す画面Ｇが表示される。なお、Ｓ＋Ｃ＝−４．０５＋（−３．９７）＝−８．０２Ｄである。
【０１１８】
次に、測定された被検レンズＬ単体のプリズム度数Ｐが２プリズムディオプタを超えているか否か判断する（Ｓ７）。ここでＰ＞２プリズムディオプタとすると、（Ｓ８；Ｙ）、メッセージ「レンズのセット位置を変更してください」メッセージが画面Ｇに表示される（Ｓ９）。ユーザは、このメッセージを参照して、被検レンズＬのセット位置を変更し（Ｓ１０）、被検レンズＬ単体の屈折力測定を再度開始する（Ｓ４）。
【０１１９】
今回測定されたプリズム値Ｐは、２プリズムディオプタ以下となったとすると（Ｓ８；Ｙ）、強主経線方向の屈折力Ｓ＋Ｃ＝−８．０２Ｄに応じた屈折率測定用部材２０Ａ、２０α（図５、６参照）を選択する（Ｓ１１）。なお、この屈折率測定用部材２０Ａ、２０αの識別情報の色は「赤」である。
【０１２０】
画面Ｇには、メッセージ「赤色のマークが付いたゲルをレンズに装着して下さい」が表示されるとともに（Ｓ１２）、赤色のマーク（識別情報）が付された屈折率測定用部材２０Ａ、２０αが密着された状態の被検レンズＬがレンズ支持部１３ｂにセットされた状態を表すグラフィック（図１３参照）が表示される（Ｓ１３）。
【０１２１】
ユーザは、このグラフィック等を参照して、屈折率測定用部材２０Ａ、２０αを被検レンズＬに装着し、レンズ支持部１３ｂ上にセットし（Ｓ１４）、第２段階の測定を開始する（Ｓ１５）。レンズメータ１は、屈折率測定用部材２０Ａ、２０αが装着された被検レンズＬの合成球面度数（Ｓ）、合成乱視度数（Ｃ）、合成乱視軸角度（Ａ）、合成プリズム度数（Ｐ）、強主経線方向の合成屈折力（Ｓ＋Ｃ）等の光学特性値を求め（Ｓ１６）、（Ｓ）、（Ｃ）の値を画面Ｇに表示させる（Ｓ１７）。ここで、（Ｓ）＝−０．５５Ｄ、（Ｃ）＝−０．４６Ｄ、（Ｓ＋Ｃ）＝（Ｓ）＋（Ｃ）＝−１．０１Ｄであったとすると、図１５に示す画面Ｇが表示される。
【０１２２】
続いて、測定された合成プリズム度数（Ｐ）が２プリズムディオプタを超えているか否か判断する（Ｓ１８）。超えないとすると（Ｓ１９；Ｎ）、第１段階の測定で得られた被検レンズＬ単体の屈折力Ｓ＋Ｃ＝−８．０２Ｄと、第２段階の測定で得られた合成屈折力（Ｓ＋Ｃ）＝−１．０１Ｄと、屈折率測定用部材２０の屈折率＝ｎ２（＝−１．５００とする）とを、上記［数１］の式に代入して被検レンズＬのレンズ素材の屈折率ｎ１＝１．５７２を求め（Ｓ２０）、その値を画面Ｇに表示する（Ｓ２１）。図１６は、レンズ素材の屈折率の測定値を表示した画面Ｇを表している。
【０１２３】
［作用効果］
以上のような本実施形態のレンズメータ１によれば、次のような作用効果を得ることができる。
【０１２４】
まず、第２段階の測定にて使用される屈折率測定用部材２０として、被検レンズＬの表面Ｌ１ａ〜Ｌ４ａに合わせた形状に形成された密着面２１Ａａ〜２１Ｄａを有し透明かつ柔軟で既知の屈折率ｎ１を有する密着部材２１Ａ〜２１Ｄを含む屈折率測定用部材２０Ａ〜２０Ｄと、被検レンズＬの裏面Ｌ１ｂ〜Ｌ４ｂに合わせた形状に形成された密着面２１αａ〜２１δａを有し透明かつ柔軟で既知の屈折率ｎ１を有する密着部材２１α〜２１δを含む屈折率測定用部材２０α〜２０δとを使用しているので、屈折率測定用部材２０と被検レンズＬとがずれてしまう事態を防止できる上、屈折率測定用部材２０を被検レンズＬのレンズ中心近傍に容易に装着できる。また、被検レンズＬに対する屈折率測定用部材２０の密着状態が良好となるため、レンズ両面における保持部材２２（プレート）の平行性が向上し測定精度が向上される。また、被検レンズＬと屈折率測定用部材２０との接触面における気泡の介在を減少でき、測定精度を向上できる。以上より、本実施形態によれば、従来問題となっていた（特許文献２参照）測定精度低下の問題を解消しつつ、２段階の迅速かつ容易な測定手法でレンズ素材の屈折率測定を求めることができる。
【０１２５】
また、透明なプレート状の保持部材２２により密着部材２１を保持するとともに、保持部材２２の径を密着部材２１よりも意図的に大きく形成されているので、保持部材２２を持って装着作業を行うことにより、屈折率測定用部材２０のハンドリングが向上し、被検レンズＬのレンズ中心近傍に容易かつ迅速に装着できる。なお、本発明者による確認検査によれば、このような構成としたことにより、装着作業を手作業で行っても、レンズ両面側の保持部材２２の平行性を所定のプリズム値（２プリズムディオプタ）以下とすることができ、十分な精度で測定を実施できることが分かった。
【０１２６】
また、密着面の形状の異なる複数の屈折率測定用部材２０Ａ〜２０Ｄ、２０α〜２０δを設けているので、被検レンズＬのレンズ面の形状（曲率）に応じて適当なものを選択的に使用することができ、測定精度の向上が図られている。
【０１２７】
また、複数の屈折率測定用部材２０Ａ〜２０Ｄ、２０α〜２０δには、それぞれ識別情報が設けられているので、それらを混同するおそれが回避され、目的の屈折率測定用部材２０を的確に選択して使用できる。それにより、測定精度の劣化が防止される。
【０１２８】
また、複数の屈折率測定用部材２０Ａ〜２０Ｄ、２０α〜２０δの内、同時に使用される一対（たとえば屈折率測定用部材２０Ａ、２０α）には、ともに赤い色の識別情報が設けられている。それにより、それら一対の屈折率測定用部材２０は同時に使用されるものであることを容易に認識でき、誤った組み合わせの屈折率測定用部材２０を使用することがなくなる。なお、同時に使用される一対の屈折率測定用部材２０は、このように同じ色の識別情報により関連付けられる必要はなく、文字、図形、記号などにより互いに関連付けることができる。
【０１２９】
また、本実施形態のレンズメータ１によれば、第１段階の測定で求められた被検レンズＬの屈折力に基づいて、屈折率測定用部材２０Ａ〜２０Ｄ、２０α〜２０δの内から、適当な一対を選択し、その一対の屈折率測定用部材２０に設けられた識別情報（の少なくとも一部；たとえば色）を表示するように構成されているので、第２段階の測定に適用すべき屈折率測定用部材２０を容易に知ることができる。それにより、測定精度の向上が図られるとともに、測定の迅速化、容易化を図ることができる。なお、第２段階で適応すべき一対の屈折率測定用部材２０を示す表示内容は、識別情報全体であってもよいし、その一部であってもよい。ただし、その一対を他の屈折率測定用部材２０と区別可能な情報を表示する必要がある。
【０１３０】
また、本実施形態によれば、第２段階の測定で得られた合成プリズム度数（Ｐ）が所定値（２プリズムディオプタ）を超えるか否かを判断するとともに、その合成プリズム度数（Ｐ）が当該所定値を超えると判断されたときに、屈折率測定用部材２０の密着状態を確認するように指示するメッセージや、被検レンズＬに対する屈折率測定用部材２０の密着位置を変更するように指示するメッセージなどを表示するように構成されているので、一対の屈折率測定用部材２０の保持部材２２が互いに平行になるように装着されていない不適当な状態で第２段階の測定が実施されたことを検出できるとともに、それらの装着状態を好適な状態（保持部材２２が互いに平行となる状態）に補正して、第２段階の測定を再度実施させることができる。それにより、精度の高い測定を行うことができる。
【０１３１】
また、第１の段階の測定で得られた被検レンズＬ単体のプリズム度数Ｐが所定値（２プリズムディオプタ）を超えるか否かを判断し、そのプリズム度数Ｐが当該所定値を超えると判断されたときにレンズ支持部１３ｂに対する被検レンズＬのセット位置の変更して第１段階の測定を再度実施するように指示するメッセージを表示するように構成されているので、測定精度の向上を図ることができる。
【０１３２】
なお、第１、２段階の測定により得られたプリズム度数Ｐ、合成プリズム度数（Ｐ）の判断に用いられる上記「所定値」は、２プリズムディオプタに限定されるものではない。この「所定値」は、レンズメータ１の測定精度等のファクタに応じて適宜設定される値である。
【０１３３】
また、本実施形態によれば、ユーザが屈折率測定モードを選択したときに、第１段階の測定の態様を表す情報として、被検レンズＬのみをレンズ支持部１３ｂに支持させるように指示するメッセージを表示するとともに、第２段階の測定の態様を表す情報として、密着部材２１が両レンズ面に密着された状態の被検レンズＬをレンズ支持部１３ｂに支持させるように指示するメッセージを表示するように構成されているので、ユーザは、レンズ素材の屈折力を測定するときの手順を容易に把握することができる。それにより、測定の迅速化を図ることができる。また、これらのメッセージとして、被検レンズＬ（及び屈折率測定用部材２０）の支持状態を表すグラフィック（画像情報）を表示することにより、手順の把握を更に容易にすることができる。
【０１３４】
［変形例］
本発明に係るレンズメータは、以上に詳述した構成に限定されるものではなく、本発明の要旨の範囲内において適宜変形することが可能である。以下、そのような変形例の一例について説明する。
【０１３５】
（第１の変形例）
第１の変形例として、第１段階の測定で得られた被検レンズＬ単体のプリズム度数（Ｐ）が大きいことにより測定を正確に行えない場合において、被検レンズＬのセット位置を変更するようにユーザを促すための構成の一例について説明する。
【０１３６】
従来から、被検レンズにおける球面度数、乱視度数、プリズム度数等の光学特性値の分布を測定してマッピング表示するレンズメータが用いられている（たとえば、本出願人による特開平１１−２１１６１６号公報明細書参照）。このようなレンズメータに本発明に係る構成を適用する場合、次のような処理を行うことができる。
【０１３７】
まず、第１段階の測定において、被検レンズＬのプリズム度数分布Ｐ（ｘ、ｙ）を取得する（ここで、（ｘ、ｙ）は、被検レンズＬ上の位置を表す２次元座標系である）。次に、このプリズム度数分布Ｐ（ｘ、ｙ）において、度数が所定値（たとえば２プリズムディオプタ）以下である被検レンズ上の位置を検出する。すなわち、Ｐ（ｘ０、ｙ０）≦２であるような（ｘ０、ｙ０）を求める。当該検出処理は、ＣＰＵ（検出手段）によって実行される。そして、検出された被検レンズＬ上の位置（ｘ０、ｙ０）を表示部３（表示手段）に表示させる。この表示は、グラフィック表示（マッピング表示）であることが望ましい。ユーザは、この表示を参照して、プリズム度数Ｐが２プリズムディオプタ以下であるような被検レンズＬ上の位置を把握し、その位置（の近傍）をレンズ支持部１３ｂ上端に配置させるように被検レンズＬのセット位置を補正して、第１段階の測定を再度行う。それにより、測定精度の向上を図ることができる。
【０１３８】
（第２の変形例）
第２の変形例は、被検レンズＬのレンズ面と屈折率測定用部材２０の密着面２１ａとの間に気泡が介在することによる測定精度の低下を防止するためのものである。
【０１３９】
レンズ面と密着面２１ａとの間に気泡が介在すると、その気泡の部分において光学特性値が不連続になったり歪んだりする。そこで、まず、第１の変形例と同様に、被検レンズの光学特性値（特に球面度数、乱視度数など）の分布を測定する。次に、測定された分布を解析して、光学特性値が不連続となる位置や歪んでいる位置を検出する。当該検出処理は、ＣＰＵ（気泡検出手段）により実行される。不連続や歪みが生じている位置が無い場合には、気泡は無いものと推定される。一方、光学特性値が不連続となったり歪んだりしている位置が存在する場合には、その位置に気泡が存在しているものと推定され、その旨を表すメッセージを表示部３に表示させる。当該メッセージは、「気泡がないか確認してください」等の文字メッセージであってもよいし、光学特性値が不連続となる位置を表すようなグラフィックであってもよい。
【０１４０】
このような構成は、密着部材２１の密着面２１ａや、保持面２２の保持面２２ａの対向面の汚れ等の検出についても適用できる。すなわち、屈折率測定用部材２０の使用がかさむにつれて、ユーザの指先等の汚れや空気中の塵埃などが密着面２１ａ等に付着し、測定精度が劣化するおそれがある。そこで、測定された光学特性値の分布を解析して、光学特性値が不連続になっている位置や歪んでいる位置を求める。そのような位置が存在する場合には、「汚れがないか確認してください」等の文字メッセージを表示させたり、その位置をグラフィック表示させたりすることができる。
【０１４１】
（その他変形例）
レンズ素材の屈折率測定では、被検レンズ単体の屈折力測定（第１段階）と、屈折率測定用部材を装着した被検レンズの合成屈折力測定（第２段階）の双方を、被検レンズ上の概ね同一の測定点で実施する必要がある。そのために、次のような第１、２の構成の一方又はそれらを組み合わせた構成を適用することが可能である。
【０１４２】
第１の構成として、ハルトマンプレート１１１（図３（Ａ）参照）の中心近傍に開口部を形成しない領域（欠損領域と呼ぶこととする。）を設ける。この欠損領域は、たとえば、被検レンズを支持するレンズ支持部１１３ｂの下部に設けられる。それにより、ハルトマンプレート１１１の多数の開口部１１１ａを通過してＣＣＤ１１５に投影される多数の測定光の分布には、当該欠損領域に対応する測定光の無い領域が形成される。そこで、第１段階及び第２段階のそれぞれの測定において、この欠損領域の位置を測定点を特定するマーカとして使用することにより、第１、２段階における測定点を概ね同じ位置にすることができる。
【０１４３】
第２の構成は、眼鏡フレームに枠入れされた被検レンズの屈折率を測定するときに適用可能なものである。すなわち、上記実施形態のレンズメータ１には、眼鏡の鼻当てを支持する鼻当て支持部材９と、眼鏡及び鼻当て支持部材９とを左右に移動させるスライダ９ａとが設けられている。眼鏡は、鼻当て支持部材９に係合されることにより、常にほぼ同じ位置にて支持される。それにより、スライダ９ａの位置を固定して第１、２段階の測定を実施すれば、概ね同一の測定点にて測定を行うことができる。また、左右に移動するスライダ９ａの位置を検出するセンサ（たとえばポテンショメータ等）を設けるなどすることにより、スライダ９ａを所望の位置に移動できるように構成することにより、枠入れされた左右の眼鏡レンズのそれぞれについて、第１、２段階の測定を同じ測定点にて実施することが可能となる。
【０１４４】
その他の変形例として、被検レンズの屈折率の分布（屈折率マップ）を求める構成を採用することができる。そのために、たとえば、被検レンズの複数の測定点について上記実施形態や変形例の手法により屈折率を取得するとともに、取得した各屈折率とその測定点の座標とを関連付けることにより、屈折率マップを作成することができる。作成された屈折率マップは、表示部３に表示したり、印刷出力したりすることができる。それにより、被検レンズ上における屈折率の分布状態を容易に把握することが可能となる。当該変形例は、素材の異なる複数のレンズを貼り合わせるなどして合成して形成された被検レンズの屈折率を取得するためなどの用途に好適である。
【図面の簡単な説明】
【０１４５】
【図１】本発明に係るレンズメータの実施形態の外観構成の一例を表す概略斜視図である。
【図２】本発明に係るレンズメータの実施形態が備える光学系の構成の一例を表す概略図である。
【図３】本発明に係るレンズメータの実施形態が備える光学系の構成の一例を表す概略図である。図３（Ａ）は、ハルトマンプレートの構成の一例を表す概略図である。図３（Ｂ）は、４孔タイプのプレートの一例を表す概略図である。
【図４】本発明に係るレンズメータの実施形態において使用される屈折率測定用部材の構成の一例を表す概略図である。図４（Ａ）は屈折率測定用部材の概略側面図であり、図４（Ｂ）はその概略上面図である。
【図５】本発明に係るレンズメータの実施形態において、被検レンズの表面に装着される屈折率測定用部材の構成の一例を表す概略図である。図５（Ａ）は、被検レンズの強主経線方向の屈折力が−５ディオプタ以下の場合に使用される屈折率測定用部材の構成を表す。図５（Ｂ）は、被検レンズの強主経線方向の屈折力が−５ディオプタより大きく０ディオプタより小さい場合に使用される屈折率測定用部材の構成を表す。図５（Ｃ）は、被検レンズの強主経線方向の屈折力が０ディオプタより大きく５ディオプタより小さい場合に使用される屈折率測定用部材の構成を表す。図５（Ｄ）は、被検レンズの強主経線方向の屈折力が５ディオプタ以上の場合に使用される屈折率測定用部材の構成を表す。
【図６】本発明に係るレンズメータの実施形態において、被検レンズの裏面に装着される屈折率測定用部材の構成の一例を表す概略図である。図６（Ａ）は、被検レンズの強主経線方向の屈折力が−５ディオプタ以下の場合に使用される屈折率測定用部材の構成を表す。図６（Ｂ）は、被検レンズの強主経線方向の屈折力が−５ディオプタより大きく０ディオプタより小さい場合に使用される屈折率測定用部材の構成を表す。図６（Ｃ）は、被検レンズの強主経線方向の屈折力が０ディオプタより大きく５ディオプタより小さい場合に使用される屈折率測定用部材の構成を表す。図６（Ｄ）は、被検レンズの強主経線方向の屈折力が５ディオプタ以上の場合に使用される屈折率測定用部材の構成を表す。
【図７】本発明に係るレンズメータの実施形態による測定に供される被検レンズの構成の一例を表す概略側面図である。図７（Ａ）は、強主経線方向の屈折力が−５ディオプタ以下の被検レンズの構成を表す。図７（Ｂ）は、強主経線方向の屈折力が−５ディオプタより大きく０ディオプタより小さい被検レンズの構成を表す。図７（Ｃ）は、強主経線方向の屈折力が０ディオプタより大きく５ディオプタより小さい被検レンズの構成を表す。図７（Ｄ）は、強主経線方向の屈折力が５ディオプタ以上の被検レンズの構成を表す。
【図８】本発明に係るレンズメータの実施形態が備える制御系の構成の一例を表す概略ブロック図である。
【図９】本発明に係るレンズメータの実施形態が実行する処理の一例を表すフローチャートである。
【図１０】本発明に係るレンズメータの実施形態が実行する処理の一例を表すフローチャートである。
【図１１】本発明に係るレンズメータの実施形態が表示する画面の一例を表す概略図である。
【図１２】本発明に係るレンズメータの実施形態が表示する画面の一例を表す概略図である。
【図１３】本発明に係るレンズメータの実施形態が表示する画面の一例を表す概略図である。
【図１４】本発明に係るレンズメータの実施形態が表示する画面の一例を表す概略図である。
【図１５】本発明に係るレンズメータの実施形態が表示する画面の一例を表す概略図である。
【図１６】本発明に係るレンズメータの実施形態が表示する画面の一例を表す概略図である。
【符号の説明】
【０１４６】
１  レンズメータ
２  本体
３  表示部
３ａ  表示画面
４、５  光学部材収納部
６  レンズ受けテーブル
７  レンズ当て
８  操作レバー
９  鼻当て支持部材
９ａ  スライダ
１０  モード切換ボタン
１１  測定ボタン
１３  レンズ受け
１３ａ  透明板
１３ｂ  レンズ支持部
２０、２０Ａ〜２０Ｄ、２０α〜２０δ  屈折率測定用部材
２１、２１Ａ〜２１Ｄ、２１α〜２１δ  密着部材
２１ａ、２１Ａａ〜２１Ｄａ、２１αａ〜２１δａ  密着面
２２、２２Ａ〜２２Ｄ、２２α〜２２δ  保持部材
２２ａ、２２Ａａ〜２２Ｄａ、２２αａ〜２２δａ  保持面
３０  ＣＰＵ
３１  制御部
３２  表示制御部
３３  測定処理部
３４  屈折力算出部
３５  屈折力判断部
３６  部材選択部
３７  合成屈折力判断部
３８  素材屈折率算出部
４０  プログラム記憶部
４１  制御プログラム
４２  関連情報
１００  照明光学系
１０１  ＬＥＤ
１０２  コリメータレンズ
１１０  受光光学系
１１１  ハルトマンプレート
１１１ａ  開口部
１１１′  ４孔プレート
１１１ａ′  開口部
１１２  スクリーン
１１３  フィールドレンズ
１１４  結像レンズ
１１５  ＣＣＤ
２０１  レンズ種別表示部
２０２  スケール
２０３  屈折力表示部
２０４  合成屈折力表示部
２０５  屈折率表示部
２０７  ステップ表示部
２０８  メッセージ表示部
２０９  グラフィック表示部
Ｌ、Ｌ１〜Ｌ４  被検レンズ
Ｌ１ａ〜Ｌ４ａ  表面
Ｌ１ｂ〜Ｌ４ｂ  裏面
Ｇ  画面
【図１】
2006220458.tif 000004
【図２】
2006220458.tif 000005
【図３】
2006220458.tif 000006
【図４】
2006220458.tif 000007
【図５】
2006220458.tif 000008
【図６】
2006220458.tif 000009
【図７】
2006220458.tif 000010
【図８】
2006220458.tif 000011
【図９】
2006220458.tif 000012
【図１０】
2006220458.tif 000013
【図１１】
2006220458.tif 000014
【図１２】
2006220458.tif 000015
【図１３】
2006220458.tif 000016
【図１４】
2006220458.tif 000017
【図１５】
2006220458.tif 000018
【図１６】
2006220458.tif 000019